(57)【要約】      （修正有）【課題】コードの長さ調整あるいはコードの装置の位置を調整する際、いずれも素早く且つ容易くニーズに達することができ、使用上の便利性を更に増すことができるコード用長さ、位置調製バックルを提供する。【解決手段】一対の弾性差込みを具有するオス側と、メス側それぞれに固定台、固定台の内部に設置する固定ローラー、及び固定台内部に設置し、且つ固定ローラーに対応して配置する可動ローラー、固定ローラー及び可動ローラーとの間はコードを通すための槽を形成する。固定ローラーと可動ローラーは弾性体と連結し、コードを引っ張って移動するとき、該可動ローラーは固定ローラーと相対的に位置を移動する。【選択図】図４
0003132787.tif 000002
【実用新案登録請求の範囲】
【請求項１】
オスメス１，２の一対のバックルがそれぞれ弾性差込構造により連結される固定台１，２からなり、各固定台内にそれぞれ固定ローラ１２，２２及び該固定ローラに相対する可動ローラ１３１，２３を配置し、
各固定ローラと可動ローラ間にコードを挿通して挟持する間隙１６，２５を設けると共に、固定ローラー12、22及び可動ローラー13、23の上にそれぞれ弾性体14、24を設け、
コード５を引き出す際に可動ローラを固定ローラに対して弾性体の弾発力に抗して上記間隙を拡大させて、コードの移動を可能としたことを特徴とするコードの長さ、位置調整用バックル。
【請求項２】
オスメス側1、2の各固定台11,21はそれぞれ二つの相互に対応する内外サイドプレイト111、112、及び211、212を備えると共に、各サイドプレイト111、112、及び211、212を連結する前後プレイト113、114、及び213、214からなり、口型を成すことを特徴とする請求項1記載のコードの長さ、位置調整用バックル。
【請求項３】
前記オス側1の内サイドプレイト111の中央に弾性伸縮部15を形成し、メス側2の内サイドプレイト211にこれと嵌合する穴215を設けて、両者を連結したことを特徴とする請求項2記載のコードの長さ、位置調整用バックル。
【請求項４】
前記弾性伸縮部15は、アーチ型の形態としたことを特徴とする請求項3記載のコードの長さ、位置調整用バックル。
【請求項５】
前記オス側1の固定台11の前後プレイト113、114の上にそれぞれ相互に対応する穴115及び116を設け、該固定ローラー12及び可動ローラー13をそれぞれ筒体121、131、筒体121、131を貫通する軸122、132及び軸122、132の片端を嵌合するカシメ123、133から構成し、該固定ローラー12の軸122を前述の穴115に挿入し、可動ローラー13の軸132を前述の穴116に挿入してカシメ123、133により固定したことを特徴とする請求項2記載のコードの長さ、位置調整用バックル。
【請求項６】
前記筒体121、131は、ゴムの素材で作られたことを特徴とする請求項5記載のコードの長さ、位置調整用バックル。
【請求項７】
前記筒体121、131は、プラスティックの素材で作られたことを特徴とする請求項5記載のコードの長さ、位置調整用バックル。
【請求項８】
前記弾性体14は、逆「V」字型の形をしたスプリングであり、該開口の両端はそれぞれ嵌接部141、142を形成し、各嵌接部141，142をそれぞれ固定ローラー12の軸122及び可動ローラー13の軸132に嵌めたことを特徴とする請求項5記載のコードの長さ、位置調整用バックル。
【請求項９】
前記嵌接部141、142は、円形の形態であることを特徴とする請求項8記載のコードの長さ、位置調整用バックル。
【請求項１０】
前記嵌接部部141、142は、「C」の形であることを特徴とする請求項8記載のコードの長さ、位置調整用バックル。
【請求項１１】
前記スプリング14の閉鎖端に弾性回復部143を形成したことを特徴とする請求項8記載のコードの長さ、位置調整用バックル。
【請求項１２】
オスメス側1、2の各固定台11、21は、それぞれ内サイドプレイト111、211及び内サイドプレイト111、211の末端から垂直に延伸する前後プレイト113、114、213、214を構成し、「U」字型を呈することを特徴とする請求項1記載のコードの長さ、位置調整用バックル。
【請求項１３】
前記オス側1の内サイドプレイト111の中央に弾性伸縮部15を連結し、メス側2の内サイドプレイト211に穴215を設置し、該穴215は弾性伸縮部15と嵌合したことを特徴とする請求項12記載のコード伸縮可能のバックル。
【請求項１４】
前記弾性伸縮部15は、溝を具有する中空の球体であることを特徴とする請求項13記載のコードの長さ、位置調整用バックル。
【考案の詳細な説明】
【技術分野】
【０００１】
本考案は、コードなどの固定長さを調製可能なバックルの構造に関し、特にイヤホンコードに適した伸縮可能のバックルに関する。
【背景技術】
【０００２】
モバイル機器の普及に伴ない、携帯電話やMP3、MP4、PDAなど様々なインフォメーション或いは新しい携帯通信機器が絶えず開発、販売されている。ユーザーがいつでも美しい音楽を楽しめるだけでなく、イヤホンを前述の電子装置に接続すれば、従来技術のように使用する際、手に持ってしか使用できない不便を大幅に改善できる。しかし、頭のサイズや使用する際の習慣は人によって異なるため、バックルの構造を介して、前記の電子装置或いはイヤホンのコードの長さ或いは位置の調整をしてユーザーが快適に使用できるようになる。よって、伸縮自在のバックルの新しい改良案を案出した。
【０００３】
従来のコード用の伸縮可能のバックルは、公知の特許申請案第TWI244850号に提示するように、オスメス側を含み、オス側に固定カバーおよび固定カバーと相互に嵌合するメス側の固定カバーを具有し、各固定カバーにそれぞれコードを通すための穴を形成する。メス側に二つの穴を形成し、コードを挿入するために、うち一つの穴に縦方向の溝を設置することで、伸縮可能のバックルを組み立てる。
【０００４】
しかし、従来技術のコードの長さ、位置調整用バックルは、実際に使用する際に次のような問題が生じる。多くのバックル部品をイヤホンのコードに固定するため、調整する際にバックルおよびコードを逐一位置を移動する必要があり、操作が煩雑である上に時間がかかる。また、調整する間、ユーザーが不便を感じるだけでなく、有効にコードあるいは電子装置を思い通りに使用できないため、改善する必要があった。
【特許文献１】特開２００３−９９１０号公報
【特許文献２】特開２０００−１８４９１０号公報
【考案の開示】
【考案が解決しようとする課題】
【０００５】
前記公知構造の欠点を解決するために、本考案の第1の目的はローラーと弾性体を相互に配置することに介し、コードの長さ調整あるいはコードの位置調整する際に、すばやくかつ容易くできるようにし、使用上の便利性を増すこと。
本考案の第2の目的は、各バックルの部品同士の弾性的な差込を介し、加える外力が一定値以上に達したとき、弾性伸縮部の収縮によって、各バックル部品の連結を解くことで、コードがちぎられ破損するのを防止すること。
【課題を解決するための手段】
【０００６】
前記課題を解決するために、本考案はコードを通して固定する、コード用の長さ、位置調製自在なバックルを提供する。一対の弾性差込構造によって連結されるオスメス一対のバックルからなり、それぞれに固定台および固定台の内部の固定ローラー、および固定ローラーと対応する可動ローラーを備えて、固定ローラーおよび可動ローラーの間にコードを通すための間隙を設けて、該間隙を固定ローラーおよび可動ローラー間の弾性体により、コードを引き出す際に、該可動ローラーが移動して固定ローラーとの間の該間隙を拡げてコードの移動を可能とする。
【考案の効果】
【０００７】
本考案は、固定ローラに対してコードを挟持する可動ローラを配置し、弾性体の弾発力によりコードを引き出す際に該可動ローラを移動して固定ローらとの間の間隙を拡大するすることにより、コードの移動を自由にし、その長さ調整あるいはコードの位置調整をすばやくかつ容易くできるようにして、使用上の便利性を増すと同時に、オス、メ一対のバックルを弾性伸縮部により連結することにより、過大な力がかかると、各バックル部品の連結を開放することにより、コードがちぎられ破損するのを防止できる。
【考案を実施するための最良の形態】
【０００８】
本考案の構造を明確に示すために図に沿って詳細な説明を行うが、これにより本考案の保護範囲が限定されるものではない。
【０００９】
図1、図2および図3に本考案の立体分解図、組み立て断面図および図2の3−3の断面図を示す。本考案のコードの長さ、位置調整用バックルは、オス側1およびメス側2によって組み立てられている。
【００１０】
第1実施例のオス側1は、固定台11、固定ローラー12．可動ローラー13および二つの弾性体14を含み、該固定台11は「口」の形を呈して相対する内外のサイドプレイト111、112及びこれら二つの各サイドプレイト111、112を連結する前後プレイト113、114を具有する。第1実施例では、内サイドプレイト111の真ん中よりアーチ型の弾性伸縮部15を延伸する。前後プレイト113、114にそれぞれ互いに対応する円形の穴115及びカプセル状の穴116を設ける。
該固定ローラー12は、筒体121、筒体121を貫通する軸122及び軸122の片方と嵌合するカシメ123からなる。同じく該可動ローラー13は、筒体131、軸132及びカシメ133からなり、各筒体122、131はゴムあるいはプラスティックなどの素材で作られ、かつ軸方向の中央部は内側にくぼむアーチ型を呈す。軸122は、前後プレイト113、114の穴115を通してからカシメ123と嵌合する。もう一本の軸132は、前後プレイト113、114の各穴116を通してから、もう一個のカシメ133と嵌合し、各筒体121、131の間は間隙16を形成する。該弾性体14は、金属素材によって作られたスプリングであり、一本あるいは第1実施例のように二本設置する。該弾性体14は、逆「V」の形を呈し、該開口両端はそれぞれ円形状の嵌接部141、142を成形し、該端部に円形の弾性回復部143を形成することで、可動ローラー13は弾性体14の弾発作用により固定ローラー12に対して相対的に位置移動を行う。
【００１１】
該メス側2は、その内サイドプレイト211の中央に前述のオス側1の弾性伸縮部15と相互に挿入する穴214を設けて、オス側1と連結し、オス側と同じく固定台21、固定ローラー22、可動ローラー23及び二つの弾性体24を具有する。該メス固定台21は、一対の相互に対応する内外サイドプレイト211、212及びこれらの各サイドプレイト211、212を連結する前後プレイト213、214を具有する。また、メス側は、それぞれ前述のオス側1の固定ローラー12、可動ローラー13及び弾性体14と同様に該メス側2の固定ローラー22、可動ローラー23及び弾性体24を備え、固定ローラー22、可動ローラー23との間に間隙25を形成するが、それらの構造及び作動方法は、同じであるため説明を略す。
【００１２】
図4及び図5が示すのは、本考案の伸縮可能のバックルを、イヤホンコード5を通して使用する略図及び組み立て断面図である。該イヤホンコード5の片端は、携帯電話、MP3、MP4など携帯タイプの電子装置（図に未掲載）に差し込んで使用する。組立てる際はまず固定ローラー12の軸122の片方を順に後ろプレイト114の穴115、弾性体14の嵌接部141、筒体121、弾性体14のもうひとつの嵌接部141及び前プレイト131の穴115に通してからカシメ123を嵌合する。次に、イヤホンコード5を固定ローラー12の左側に沿わせておいて、可動ローラー13の軸132の片端を順に後ろ板114の穴116、弾性体14の嵌接部142、筒体131、弾性体14のもうひとつの嵌接部142及び前プレイト113の穴116に通してからカシメ133を嵌合する。メス側2とイヤホンコード5の組み立ても同様におこなう。最後に、オス側の固定台11の弾性伸縮部15をメス側の固定台21の穴214に押し込んで結合して、オスメス側1、2とイヤホンコード5の組み立てが完了する。
【００１３】
図6、図7及び図8に示すのは、本考案をイヤホンコードに適用して使用する場合の使用状態外観図、使用状態断面図(一)及び(二)である。イヤホンコードの長さを調製する際はイヤホンコード3を上あるいは下に引き出して各ローラー12、13、22、23を回転させながら各可動ローラー13、23を外側に引き離すため、ローラ間の間隙を拡げてイヤホンコードを簡単に調整移動できる(図7参照)。必要な長さあるいは位置に調整してイヤホンコード5に加える力を緩めると、弾性体14の弾性回復部143の弾発力により、各可動ローラー13、23が内側に戻り、すばやくイヤホンコード5を挟む(図5参照)ためその長さ位置でイヤホンコードは保持され、操作及び使用上が大変便利になる。また、該オスメス側1、2が過大なサイド方向の力を受けた場合、オス側の固定台11の弾性伸縮部15をメス側の固定台21の穴214から離脱して連結を解くため(図8参照)、有効的に高価なイヤホンコード5がちぎられ破損するのを防止する。
【００１４】
図9が示すのは、本考案の第2実施例の立体分解図である。本考案のオス、メス側固定台11、21は第1実施例の形態のほかに、「U」の形にすることができる。それぞれ内サイドプレイト111、211、前プレイト113、213、後ろプレイト114、214及び穴115及び穴116を具有する。各ローラー12、13、22、23はそれぞれ円形筒体121、131及び筒体121、131と連結する軸122、132によって構成する。また、各弾性体14、24の嵌接部141、142はそれぞれ「C」の形を呈し、弾性回復部143は逆「U」の形である。さらに、該弾性伸縮部15は溝を具有する中空の球状であり、メス固定台21の穴215と嵌合して連結し、第1実施例と同様の効果を発揮する。
【図面の簡単な説明】
【００１５】
【図１】本考案の立体分解図である。
【図２】本考案の組み立て断面図である。
【図３】図2の3−3の断面図である。
【図４】本考案をイヤホンに連結する際の組立略図である。
【図５】図4の組立断面図である。
【図６】本考案を人体に実施する際の組立外観図である。
【図７】本考案の使用状態断面図（一）である。
【図８】本考案の使用状態断面図（二）である。
【図９】本考案の第二の実施例立体分解図である。
【符号の説明】
【００１６】
1オス側
11オス側固定台
111内サイドプレイト
112外サイドプレイト
113前プレイト
114後プレイト
115穴
116穴
12  固定ローラー
121筒体
122軸
13  可動ローラー
131  筒体
132  軸
14  弾性体
141、142  嵌接部
143  弾性回復部
15  弾性伸縮部
16槽
2  メス側
21  メス固定台
211  内サイドプレイト
212  外サイドプレイト
213  前プレイト
214  後ろプレイト
215  穴
22  固定ローラー
23  可動ローラー
24  弾性体
25  槽
5  イヤホンのコード
【図１】
0003132787.tif 000003
【図２】
0003132787.tif 000004
【図３】
0003132787.tif 000005
【図４】
0003132787.tif 000006
【図５】
0003132787.tif 000007
【図６】
0003132787.tif 000008
【図７】
0003132787.tif 000009
【図８】
0003132787.tif 000010
【図９】
0003132787.tif 000011